(57)【要約】      （修正有）【課題】既存のブラジャに着脱自在なブラジャ用アクセサリを提供する。【解決手段】ブラジャに着脱自在なブラジャ用アクセサリ１であって、ブラジャのカップ部１００ａに貫通可能なピン２２を有する台座２と、ピン２２が挿入可能な挿入孔を有するニップル４と、ピン２２に挿通可能で、カップ部１００ａの厚さや形状に応じてカップ部１００ａから突出するピン２２の長さを調節する調整ライナ３と、を備えることを特徴とする。【選択図】図１
0003186000.tif 000002
【実用新案登録請求の範囲】
【請求項１】
ブラジャに着脱自在なブラジャ用アクセサリであって、
前記ブラジャのカップ部に貫通可能なピンを有する台座と、
前記ピンが挿入可能な挿入孔を有するニップルと、
前記ピンに挿通可能で、前記カップ部の厚さや形状に応じて前記カップ部から突出する前記ピンの長さを調節し、前記挿入孔に前記ピンを挿入した状態で、前記ピンの先端が前記ニップルから突出しないようにする調整ライナと、
を備えることを特徴とするブラジャ用アクセサリ。
【考案の詳細な説明】
【技術分野】
【０００１】
この考案は、既存のブラジャに着脱自在なブラジャ用アクセサリに関する。
【背景技術】
【０００２】
女性のファッションにおいては個性の演出や美的自己主張のために、例えばミニスカートのように身体の露出を多くしたり、身体にフィットしてボディラインを強調したりするものがある。また、個性の演出や美的自己主張の一環としてより理想的なボディラインに近づくために、体型を補正する機能を有する下着や、バストを大きく、または、形よく整える機能を有する下着を着用することもある。
【０００３】
そこで、女性のバストラインを強調するものとして、従来のブラジャを構成するカップに乳首に相当する小突起を設ける技術が知られている（例えば、特許文献１参照。）。また、ブラジャの左右のカップ部分に乳首に似せた突起を着脱自在に付ける技術や（例えば、特許文献２参照。）、ブラジャ本体に着脱式のニップル（乳頭）を装着する技術が知られている（例えば、特許文献３参照。）。
【先行技術文献】
【特許文献】
【０００４】
【特許文献１】特開平０６−２２８８０２号公報
【特許文献２】特開２０００−３５５８０３号公報
【特許文献３】実用新案登録第３０８１８０１号公報
【考案の概要】
【考案が解決しようとする課題】
【０００５】
ところで、引用文献１ないし３に記載されたいずれの技術も、ブラジャ側にも加工が必要であるため、既存のブラジャをそのまま使用することが出来ないものであった。具体的には、引用文献１に記載の技術は、カップに小突起を形成するものであり、小突起は着脱することが出来ないものである。また、引用文献２に記載の技術は、突起物を着脱するために、カップ部分にボタン穴を形成するものであり、引用文献３に記載の技術は、ブラジャの左右の先端に凹部ホックを装着しておくものである。
【０００６】
そこでこの考案は、既存のブラジャに着脱自在なブラジャ用アクセサリを提供することを目的とする。
【課題を解決するための手段】
【０００７】
上記目的を達成するために本考案は、ブラジャに着脱自在なブラジャ用アクセサリであって、前記ブラジャのカップ部に貫通可能なピンを有する台座と、前記ピンが挿入可能な挿入孔を有するニップルと、前記ピンに挿通可能で、前記カップ部の厚さや形状に応じて前記カップ部から突出する前記ピンの長さを調節し、前記挿入孔に前記ピンを挿入した状態で、前記ピンの先端が前記ニップルから突出しないようにする調整ライナと、を備えることを特徴とするブラジャ用アクセサリである。
【考案の効果】
【０００８】
本考案によれば、既存のブラジャのカップに台座のピンを貫通させて、ピンの先端側をニップルの挿入孔に挿入することにより、既存のブラジャを加工することなく、ブラジャ用アクセサリが着脱自在となる。このように既存のブラジャを加工せずにそのまま使用することができるので、例えば、季節やファッションなどに合わせて、当該ブラジャ用アクセサリを使用したい時にのみ既存のブラジャに取り付けることができる。
【０００９】
また、調整ライナによって、ブラジャのカップ部の厚さや形状に応じてカップ部から突出するピンの長さを調節し、ピンの先端がニップルから突出しないようにすることができるので、どのようなブラジャにも適切に取り付けることができる。
【図面の簡単な説明】
【００１０】
【図１】この考案の実施の形態に係るブラジャ用アクセサリをブラジャに装着した状態を示す断面図である。
【図２】図１のブラジャ用アクセサリの台座を示す正面図である。
【図３】図１のブラジャ用アクセサリのニップルを示す正面図である。
【図４】図１のブラジャ用アクセサリの使用状態を示す斜視図である。
【図５】この考案の他の実施の形態に係るブラジャ用アクセサリをブラジャに装着した状態を示す断面図である。
【考案を実施するための形態】
【００１１】
以下、この考案を図示の実施の形態に基づいて説明する。
【００１２】
図１ないし４は、この考案の実施の形態を示している。
【００１３】
ブラジャ用アクセサリ１は、図１に示すように、ブラジャ１００のカップ部１００ａ、１００ｂに着脱自在なものであり、主として、台座２と、調整ライナ３と、ニップル４とを備えるものである。なお、ブラジャ用アクセサリ１は、カップ部１００ａ、１００ｂに同様に着脱できるため、ここではカップ部１００ａに着脱する場合について説明し、カップ部１００ｂに着脱する場合についての説明は省略する。
【００１４】
台座２は、主として、当て布２１と、ピン２２とを有している。当て布２１は、ブラジャ用アクセサリ１をブラジャ１００に取り付けた際にカップ部１００ａの内側に位置し、着用者の素肌と接触するものである。図２に示すように、当て布２１は、具体的には例えば、円形状もしくは多角形状で、赤色のビロードやフェルトによって構成されている。この当て布２１は、厚みを有しクッション性を備え、素肌側に位置する第１の布（図示略）と、カップ部１００ａ側に位置する第２の布（図示略）とを張り合わせて構成されている。ピン２２は、先端側からカップ部１００ａに貫通可能なものであり、当て布２１の略中央部から略垂直に延びている。ピン２２の円形の平面部２２ａは、第１の布と第２の布の間に挟まれた状態で張り合わされて、当て布２１に固定されている。
【００１５】
調整ライナ３は、台座２のピン２２に挿通可能で、カップ部１００ａの厚さｂ１や形状に応じてカップ部１００ａから突出するピン２２の長さが、後述するニップル４の高さａ１よりも小さくなるように調節するものである。調整ライナ３は、剛性を有し、台座２やニップル４よりも小さい外周の円形に形成されている。調整ライナ３は、図１に示すように、台座２のピン２２に挿通して、当て布２１とカップ部１００ａの内側との間に所望の枚数を配設し、ピン２２の先端がニップル４から突出しないようにするためのものである。ここで、カップ部１００ａの厚さｂ１が小さい場合や、大きい場合は、調整ライナ３の枚数を増減して調節する。このようにすることで、ピン２２の長さＬ１と、ニップル４の高さａ１、カップ部１００ａの厚さｂ１、使用した調整ライナ３の高さｃ１とが略同等（Ｌ１＝ａ１＋ｂ１＋ｃ１）になるように調節可能となっている。
【００１６】
ニップル４は、ウレタン系などの可橈性を有する合成樹脂で、透明な半球状に形成され、底面部が赤色に着色されており、ピン２２が挿入可能な挿入孔４１を有するものである。図３に示すように、挿入孔４１は、半球状の底面部の略中央部から頂部に向かって形成されており、挿入孔４１の径は、ピン２２の径の略半分程度の大きさに設定されている。すなわち、挿入孔４１にピン２２を挿入した状態では、挿入孔４１とピン２２とが密着し、引き抜くように外力を加えない限りは抜け落ちたりしないようになっている。
【００１７】
次に、このような構成のブラジャ用アクセサリ１の使用方法について説明する。
【００１８】
まず、ブラジャ１００のカップ部１００ａの内側から台座２のピン２２を貫通させるようにして、カップ部１００ａの厚さｂ１に合わせて調整ライナ３を所望の数、ここでは２つの調整ライナ３をピン２２に挿通させる。そして、カップ部１００ａの表側に露出したピン２２の先端部がニップル４の挿入孔４１に挿入される。また、同様に、カップ部１００ｂにもブラジャ用アクセサリ１が取り付けられて、図４に示すように、ブラジャ用アクセサリ１がブラジャ１００に取り付けられる。
【００１９】
ブラジャ用アクセサリ１の取り外し時は、まず、カップ部１００ａから突出しているピン２２からニップル４が引っ張るようにして取り外されて、つづいて、カップ部１００ａからピン２２が引き抜かれて、台座２が取り外される。そして、ピン２２から調整ライナ３が取り外される。また、同様に、カップ部１００ｂからもブラジャ用アクセサリ１が取り外される。
【００２０】
このようにして、ブラジャ用アクセサリ１は、既存のブラジャ１００のカップ部１００ａ、１００ｂに着脱自在となる。また、ブラジャ用アクセサリ１を取り付けることにより、ブラウス２００を着用した際にバストラインが強調される。
【００２１】
以上のように、このブラジャ用アクセサリ１によれば、既存のブラジャ１００のカップ部１００ａ、１００ｂに台座２のピン２２を貫通させて、ピン２２の先端側をニップル４の挿入孔４１に挿入することにより、既存のブラジャ１００を加工することなく、ブラジャ用アクセサリ１が着脱自在となる。このように既存のブラジャ１００を加工せずにそのまま使用することができるので、例えば、季節やファッションなどに合わせて、当該ブラジャ用アクセサリ１を使用したい時にのみ既存のブラジャ１００に取り付けることができる。
【００２２】
また、調整ライナ３によって、カップ部１００ａ、１００ｂの厚さｂ１や形状に応じてカップ部１００ａ、１００ｂから突出するピン２２の長さを調節することができるので、既存のどのようなブラジャ１００にも適切に取り付けることができる。
【００２３】
しかも、ニップル４は透明な半球状の底面部が赤色に着色されているので、ブラウス２００を着用した際には素肌のようなより自然な色合いとなる。
【００２４】
以上、この考案の実施の形態について説明したが、具体的な構成は、上記の実施の形態に限られるものではなく、この考案の要旨を逸脱しない範囲の設計の変更等があっても、この考案に含まれる。例えば、上記の実施の形態では、カップ部１００ａから突出するピン２２の長さを調節するために、調整ライナ３の枚数を増減して調節するものとして説明したが、高さが異なる調整ライナ３を複数用意し、適切な高さの調整ライナ３を選んで使用するようにしてもよい。
【００２５】
また、ニップル４の高さは高さａ１に限定されず高さの異なるものを用意し、例えば、バストラインをより強調したい場合には、図５に示すようなニップル４の高さａ１よりも大きな高さａ２のニップル５を使用するようにしてもよい。
【００２６】
当て布２１の形状は限定されず、例えば、円形状や正方形、正方形の角部を落とした八角形状であってもよいことはもちろんである。
【符号の説明】
【００２７】
１        ブラジャ用アクセサリ
２        台座
２１      ピン
３        調整ライナ
４        ニップル
４１      挿入孔
１００    ブラジャ
１００ａ、１００ｂ  カップ部
２００    ブラウス
【図１】
0003186000.tif 000003
【図２】
0003186000.tif 000004
【図３】
0003186000.tif 000005
【図４】
0003186000.tif 000006
【図５】
0003186000.tif 000007